Podtech/llm-jp-corpus-v4-ja_patent huggingface dataset:
【手続補正書】
【提出日】平成19年11月7日(2007.11.7)
【手続補正１】
【補正対象書類名】明細書
【補正対象項目名】特許請求の範囲
【補正方法】変更
【補正の内容】
【特許請求の範囲】
【請求項１】  経皮的で経腔的なステント送出装置（５０）であって、この装置は管（５４）を備えており、この管が、装置の遠位端部にある遠位端部を備えた管壁と、装置の基端領域内にある基端端部と、腔内面と腔外面と、を有し、前記管は、i)管の全長に延在する内腔と、ii)管の遠位端部と隣接している遠位端先端部の領域と、を備え、この先端部の領域の腔内面（７０）と腔外面（７２）との双方は、少なくとも遠位端先端部の領域が３７℃の温度であって外界から円周応力を受けていないときには、管の遠位端（７４）に近づくにつれて半径方向内側になるようにテーパーを付けられているような上記装置において、
管の基端端部に自己拡張式のステントを装填するための装置（１１８）と、
半径方向外方へ拡張しないように管壁で拘束されている自己拡張式のステントを、管の基端端部から管の遠位端部の領域までの全長にわたって進めるための装置（５６）と、
を有することを特徴とするステント送出装置。
【請求項２】  前記装置は、更に、自己拡張式のステント（５２,１２０）を前記管内に有することを特徴とする請求項１に記載の送出装置。
【請求項３】  先端部の領域はモールド成形されていることを特徴とする請求項１又は２に記載のカテーテル。
【請求項４】  先端部の領域は管自体から形成されていることを特徴とする請求項１、２、又は３のいずれか１項に記載のカテーテル。
【請求項５】  先端部の領域は管とは別に形成されてから、前記管に結合されることを特徴とする請求項１、２、又は３のいずれか１項に記載のカテーテル。
【請求項６】  先端部の領域は管に溶着されていることを特徴とする請求項５に記載のカテーテル。
【請求項７】  管の壁厚が先端部の領域の長さにわたって実質的に一定に維持されていることを特徴とする請求項１乃至６のいずれか１項に記載のカテーテル。
【請求項８】  先端部の領域の管の壁厚が前記遠位端部に近づくにつれて薄くなっていることを特徴とする請求項１乃至６のいずれか１項に記載のカテーテル。
【請求項９】  遠位端先端部の領域の管壁は１又は複数の拡大領域を含んでいて、この領域によって、遠位端先端部の領域の腔内面が形成する直径を、前記腔内面が先端部の領域の基端端部にて形成している直径になるまで、先端部の領域の長さにわたって、拡大するために必要な仕事が減少することを特徴とする請求項１乃至８のいずれか１項に記載のカテーテル。
【請求項１０】  拡大領域は、管壁に設けられた強度の弱い線（２３８）であって、管の軸線方向の成分を有するような方向に延在していることを特徴とする請求項９に記載のカテーテル。
【請求項１１】  強度の弱い線は溝（２３８）であることを特徴とする請求項１０に記載のカテーテル。
【請求項１２】  強度の弱い線は切込み（２３６）であることを特徴とする請求項１０に記載のカテーテル。
【請求項１３】  遠位端部は破ることができる膜（２６６）によって閉じていることを特徴とする請求項１乃至１２のいずれか１項に記載のカテーテル。
【請求項１４】  管の基端端部よりも遠位端の近くにある成形された管の長さ部分を含んでいることを特徴とする請求項１乃至１３のいずれか１項に記載のカテーテル。
【請求項１５】  管壁は、遠位端先端部の領域よりも基端側において、壁厚内に補強要素（２５４）を含んでいて、管の押込み性を高めていることを特徴とする請求項１乃至１４のいずれか１項に記載のカテーテル。
【請求項１６】  補強要素は編組の環状の要素（２５４）であることを特徴とする請求項１５に記載のカテーテル。
【請求項１７】  遠位端部の領域の腔内面は、実質的に円錐台形状であることを特徴とする請求項１乃至１６のいずれか１項に記載のカテーテル。
【請求項１８】  腔外面は、管の長手軸線と平行な断面を見たときに、外向きに凸形状であることを特徴とする請求項１乃至１７のいずれか１項に記載のカテーテル。
【請求項１９】  ガイドワイヤ（１２）と組合わされることを特徴とする請求項１乃至１７のいずれか１項に記載のカテーテル。
【請求項２０】  ガイドワイヤの外径は、管の遠位端部における管の直径に比べて、１００μｍ未満だけ小さくなっていることを特徴とする請求項１９に記載のカテーテル。
【請求項２１】  カテーテルが、管の内腔の内部に収容される細長いステント押込み具（６４）と組合わせられて、押込み具とカテーテルとがステント送出装置を構成し、前記押込み具に対して管を基端方向へ引き戻すことによって、管の遠位端部からステントを解放することを特徴とする請求項１乃至２０のいずれか１項に記載のカテーテル。
【請求項２２】  ステント押込み具は、シャフト直径を有するシャフト部分と、押込み肩部（６０）を形成している遠位端要素とを有していて、肩部の直径は少なくともシャフト直径と同じくらい大きくて、肩部がステントの基端端部を押圧することを特徴とする請求項２１に記載のカテーテル。
【請求項２３】  ステント押込み肩部の直径はシャフト直径よりも大きいことを特徴とする請求項２１に記載のカテーテル。
【請求項２４】  ステント押込み肩部はステント押込み具の最も遠位端を形成していることを特徴とする請求項２２又は２３に記載のカテーテル。
【請求項２５】  遠位端要素はガイドワイヤ内腔を形成していることを特徴とする請求項２２、２３、又は２４に記載のカテーテル。
【請求項２６】  ステント押込み具のシャフト部分にはガイドワイヤ内腔が設けられていなくて、カテーテル内腔の直径に比べて十分に小さい直径を有し、カテーテル内腔の中でガイドワイヤは前記シャフト部分と横並びに配置されることを特徴とする請求項２５に記載のカテーテル。
【請求項２７】  ステントを進める装置がステント押込み具としても働くことを特徴とする請求項２１乃至２６のいずれか１項に記載のカテーテル。
【請求項２８】  カテーテルの遠位端先端部は放射線透視で可視可能であることを特徴とする請求項１乃至２７のいずれか１項に記載のカテーテル。
【請求項２９】  カテーテルの遠位端先端部が放射線透視のためのマーカー帯を備えていることを特徴とする請求項２８に記載のカテーテル。
【請求項３０】  管の遠位端部で行なう医療処置に有用である流体を、管の内腔の基端端部に導入するための手段と組合わせたことを特徴とする請求項１乃至２９のいずれか１項に記載のカテーテル。
【請求項３１】  管の内腔の基端端部にて流体と連通するようにした外科吸引装置と組合わせたことを特徴とする請求項１乃至３０のいずれか１項に記載のカテーテル。
【請求項３２】  装填装置は、装填の直前まで、ステントを周辺温度よりも低い温度に維持するように適合していることを特徴とする請求項１乃至３１のいずれか１項に記載のカテーテル。
【手続補正書】
【提出日】平成19年1月19日(2007.1.19)
【手続補正１】
【補正対象書類名】明細書
【補正対象項目名】特許請求の範囲
【補正方法】変更
【補正の内容】
【特許請求の範囲】
【請求項１】  以下の段階を含む、神経もしくは精神疾患、薬物誘発疾患もしくは毒性、炎症もしくは免疫疾患、内分泌もしくは代謝疾患、心血管もしくは腎疾患、または増殖性疾患のリスクを有するか、または神経もしくは精神疾患、薬物誘発疾患もしくは毒性、炎症もしくは免疫疾患、内分泌もしくは代謝疾患、心血管もしくは腎疾患、または増殖性疾患であると診断された対象に対する治療法を同定する方法：
対象を特定して、表1〜6、12〜17、および18〜23の遺伝子に関して対象の遺伝子型対立遺伝子状態を決定する段階；
該遺伝子の少なくとも1つの対立遺伝子の存在に基づいた、有効な治療法を決定する段階。
【請求項２】  決定する段階が、神経もしくは精神疾患、薬物誘発疾患もしくは毒性、炎症もしくは免疫疾患、内分泌もしくは代謝疾患、心血管もしくは腎疾患、または増殖性疾患もしくは関連する病態に関して、治療の有効性および安全性の予測を提供するために、対象の遺伝子型状態を用いる段階を含む、請求項1記載の方法。
【請求項３】  遺伝子が細胞代謝に関連する遺伝子である、請求項1または2記載の方法。
【請求項４】  遺伝子が葉酸代謝に関連する遺伝子である、請求項3記載の方法。
【請求項５】  遺伝子が、葉酸受容体α、葉酸受容体β、葉酸受容体γ、葉酸輸送体、ビタミンB12結合タンパク質、葉酸ポリグルタミン酸合成酵素、γ-グルタミル加水酵素、メチレンテトラヒドロ葉酸還元酵素、ジヒドロ葉酸還元酵素、5,10-メチレン-テトラヒドロ葉酸脱水素酵素、5,10-メテニルテトラヒドロ葉酸合成酵素、ホスホリボシルグリシンアミド葉酸転移酵素、葉酸加水酵素、6-ピルボイルテトラヒドロビオプテリン合成酵素、セリンヒドロキシメチル転移酵素1、セリンヒドロキシメチル転移酵素2、グリシンアミノ転移酵素、5-メチルテトラヒドロ葉酸ホモシステインメチル転移酵素、およびグルタミン酸ホルムイミノ転移酵素からなる群より選択される、請求項4記載の方法。
【請求項６】  細胞代謝に関連する遺伝子の対立遺伝子が表12〜17の任意の1つに記載の対立遺伝子である、請求項3記載の方法。
【請求項７】  表1〜6、12〜17、および18〜23の遺伝子における少なくとも1つの分散を含む核酸配列と、選択的な結合条件で特異的に結合する長さが7〜200ヌクレオチド塩基の核酸配列、またはそれと相補的な配列もしくはRNA同等物を含む核酸プローブ。
【請求項８】  遺伝子分散が細胞代謝に関連する遺伝子である、請求項7記載のプローブ。
【請求項９】  遺伝子が葉酸代謝に関連する遺伝子である、請求項8記載のプローブ。
【請求項１０】  遺伝子が、葉酸受容体α、葉酸受容体β、葉酸受容体γ、葉酸輸送体、ビタミンB12結合タンパク質、葉酸ポリグルタミン酸合成酵素、γ-グルタミル加水酵素、メチレンテトラヒドロ葉酸還元酵素、ジヒドロ葉酸還元酵素、5,10-メチレン-テトラヒドロ葉酸脱水素酵素、5,10-メテニルテトラヒドロ葉酸合成酵素、ホスホリボシルグリシンアミド葉酸転移酵素、葉酸加水酵素、6-ピルボイルテトラヒドロビオプテリン合成酵素、セリンヒドロキシメチル転移酵素1、セリンヒドロキシメチル転移酵素2、グリシンアミノ転移酵素、5-メチルテトラヒドロ葉酸ホモシステインメチル転移酵素、およびグルタミン酸ホルムイミノ転移酵素からなる群より選択される、請求項9記載のプローブ。
【請求項１１】  細胞代謝に関連する遺伝子の対立遺伝子が表12〜17の任意の1つに記載の対立遺伝子である、請求項8記載のプローブ。
【請求項１２】  プローブが、長さが500ヌクレオチドまたはそれより短い核酸配列を含む、請求項7〜11のいずれか一項記載のプローブ。
【請求項１３】  核酸配列の長さが100ヌクレオチド塩基またはそれ未満である、請求項12記載のプローブ。
【請求項１４】  核酸配列の長さが25ヌクレオチド塩基またはそれ未満である、請求項12記載のプローブ。
【請求項１５】  プローブがDNAを含む、請求項7〜14のいずれか一項記載のプローブ。
【請求項１６】  以下を含む、表1〜6、12〜17、および18〜23のいずれかにおいて同定された遺伝子における少なくとも1つの配列分散の有無を決定するキット：
該遺伝子の一部に対応する核酸配列に優先的にハイブリダイズする少なくとも1つのプローブ、または該遺伝子の一部に対応する核酸配列もしくはその相補的配列を含む少なくとも1つのプライマー、または該少なくとも1つのプローブと該少なくとも1つのプライマーの双方。
【請求項１７】  核酸が、請求項7〜15のいずれか一項記載のプローブである、請求項16記載のキット。
【請求項１８】  以下の段階を含む、神経もしくは精神疾患、薬物誘発疾患もしくは毒性、炎症もしくは免疫疾患、内分泌もしくは代謝疾患、心血管もしくは腎疾患、または増殖性疾患、障害、もしくは病態を有する患者の治療を選択する方法：
遺伝子における少なくとも1つの分散の有無によって、該疾患、障害もしくは病態の該治療の有効性が示される、該患者の細胞が本明細書に記載の表の遺伝子において少なくとも1つの分散を含むか否かを決定する段階。
【請求項１９】  以下の段階を含む、治療の投与のために患者を選択する方法：
神経もしくは精神疾患、薬剤誘発疾患もしくは毒性、炎症もしくは免疫疾患、内分泌もしくは代謝疾患、心血管もしくは腎疾患、または増殖性疾患もしくは病態を有する患者の細胞における表1〜6、12〜17、および18〜23の遺伝子における少なくとも1つの分散もしくはハプロタイプの有無を、該少なくとも1つの遺伝子における分散もしくはハプロタイプのリストと比較して、該細胞における該少なくとも1つの分散またはハプロタイプの有無によって、該治療が、該患者において有効、より有効、あまり有効でない、無効、または禁忌であることが示される段階；および
該細胞における少なくとも1つの該分散の有無に基づいて、該患者に該治療を行うか否かを決定する段階。
【請求項２０】  以下の段階を含む、化合物が表1〜6、12〜17、および18〜23からの遺伝子の少なくとも1つの異なる型を含む細胞に対して異なる作用を示すか否かを決定する方法：
第一の細胞と第二の細胞は、該遺伝子における少なくとも1つの分散の有無が異なる、第一の細胞と第二の細胞とを該化合物に接触させる段階；および
該反応における差が、該少なくとも1つの分散の有無による、該化合物に対する該第一の細胞および該第二の細胞の反応が異なるか否かを決定する段階。
【手続補正書】
【提出日】平成19年7月11日(2007.7.11)
【手続補正１】
【補正対象書類名】明細書
【補正対象項目名】特許請求の範囲
【補正方法】変更
【補正の内容】
【特許請求の範囲】
【請求項１】  プロテアーゼ及び第４級アミンカルボン酸内部塩から成る、（１）コクシジウム症、（２）動物アイメリア感染、（３）サルモネラ、キャンピロバクター（Ｃａｍｐｙｌｏｂａｃｔｅｒ：グラム陰性桿菌）、Ｅ．ｃｏｌｉ及びリステリアに起因する細菌感染、および（４）ウエルチ菌感染から生じる壊死性腸炎の何れか１つ以上の治療および／または予防薬剤。
【請求項２】  第４級アミンカルボン酸内部塩がベタインである請求項１に記載の治療および／または予防薬剤。
【請求項３】  更にキシラナーゼ及び／又はα−アミラーゼを含む請求項１又は２に記載の治療および／または予防薬剤。
【請求項４】  請求項１〜３の何れかに記載の治療および／または予防薬剤から成る動物飼料。
【請求項５】  動物飼料中の第４級アミンカルボン酸内部塩含有量が、飼料１ｋｇ当たり０．０１〜２０ｇである請求項４に記載の動物飼料。
【請求項６】  動物飼料中のプロテアーゼ含有量が、飼料１ｋｇ当たり１００〜１００，０００Ｕのプロテアーゼ活性に相当する請求項４又は５に記載の動物飼料。
【請求項７】  キシラーゼを含有し、飼料中のキシラーゼ含有量が、飼料１ｋｇ当たり１００〜１００，０００Ｕのキシラーゼ活性に相当する請求項４〜６の何れかに記載の動物飼料。
【請求項８】  α−アミラーゼを含有し、飼料中のα−アミラーゼ含有量が、飼料１ｋｇ当たり１０〜１００，０００Ｕのα−アミラーゼ活性に相当する請求項４〜７の何れかに記載の使用。
【請求項９】  プロテアーゼ、キシラナーゼ及び第４級アミンカルボン酸内部塩から成る動物飼料用添加剤。
【請求項１０】  内部塩がベタインである請求項９に記載の動物飼料用添加剤。
【請求項１１】  更にα−アミラーゼを含む請求項９又は１０に記載の動物飼料用添加剤。
【請求項１２】  請求項９〜１１の何れかに記載の動物飼料用添加剤と少なくとも２５重量％の穀類とから成る動物飼料。
【請求項１３】  プロテアーゼ及び第４級アミンカルボン酸内部塩から成るアイメリア感染動物における体重増加促進用飼料添加物。
【請求項１４】  内部塩がベタインである請求項１３に記載の飼料添加物。
【請求項１５】  更にキシラナーゼ及び／又はα−アミラーゼを含む請求項１３又は１４に記載の飼料添加物。
【手続補正書】
【提出日】平成19年10月24日(2007.10.24)
【手続補正１】
【補正対象書類名】明細書
【補正対象項目名】特許請求の範囲
【補正方法】変更
【補正の内容】
【特許請求の範囲】
【請求項１】
Ｃ2−Ｃ5+オレフィン混合物におけるアルキン及びジエンの選択水素化触媒であって、
前記触媒が、
（ａ）周期表第１０族の金属、
（ｂ）周期表第１１族の金属、及び
（ｃ）必要により、周期表第１族又は第２族の金属化合物、
を含み、且つ
これらの金属をシリカ担体に施し、第１１族の金属を触媒粒子の断面に均一に分散させ、そして第１０族の金属が触媒粒子表面近傍のエッジ層に存在することを特徴とする触媒。
【請求項２】
第１０族の金属がパラジウムである請求項１に記載の触媒。
【請求項３】
第１１族の金属が銀である請求項１または２に記載の触媒。
【請求項４】
第１０族の金属が、全質量に対して０．００５〜１質量％、好ましくは０．０２〜０．６質量％の量で存在する請求項１〜３のいずれかに記載の触媒。
【請求項５】
第１１族の金属が０．００５〜１質量％、好ましくは０．０５〜０．６質量％の量で存在し、第１１族の金属の第１０族の金属に対する比が０．０１〜１００の範囲、好ましくは０．５〜３０の範囲、特に好ましくは１．５〜２０の範囲である請求項１〜４のいずれかに記載の触媒。
【請求項６】
最初に第１１族の金属を担体に均一に分散するように施し、その後、第１０族の金属を施す請求項１〜５のいずれかに記載の触媒の製造方法。
【請求項７】
第１１族の金属の施しを、担体の成形前又は成形後、好ましくは担体の成形前に行う請求項６に記載の方法。
【請求項８】
第１１族の金属を、エッジミル工程中に担体材料に混練により導入する請求項７に記載の方法。
【請求項９】
アルキン及びジエンを、Ｃ2−Ｃ5+オレフィン混合物、好ましくはオレフィン調製物の分解によるＣ２又はＣ３流中で選択水素化する方法であって、請求項１〜５のいずれかに記載の触媒を水素化で使用することを特徴とする方法。
【請求項１０】
水素化を０〜２５０℃及び０．０１〜５０バールで行う請求項９に記載の方法。
【手続補正書】
【提出日】平成19年11月6日(2007.11.6)
【手続補正１】
【補正対象書類名】明細書
【補正対象項目名】特許請求の範囲
【補正方法】変更
【補正の内容】
【特許請求の範囲】
【請求項１】  組成：（Ｓｒ１−ｘＣａｘ）１−ｙＡｙＭｎ１−ｚＢｚＯ３−δ
［式中、
ＡはＢａ、Ｐｂ、Ｎａ、Ｋ、Ｙ、ランタニド族の元素又はこれらの元素の組み合わせを表し、
ＢはＭｇ、Ａｌ、Ｇａ、Ｉｎ、Ｓｎ、３ｄ又は４ｄ周期の元素もしくはこれらの元素の組み合わせを表し、
ｘは０．２〜０．８の数であり、
ｙは０〜０．４の数であり、
ｚは０〜０．６の数であり、かつ
δは、ｘ、ｙ及びｚに依存して電子中性原理の維持から生じる数である］の混合伝導性の、酸化物イオン選択性セラミック膜上に選択性酸化触媒を含有する反応膜。
【請求項２】  平坦であるか、又は内径４〜１００ｍｍを有する管形状を有することを特徴とする請求項１記載の反応膜。
【請求項３】  触媒が多孔性層として存在するか又は自体で混合伝導性の、酸化物イオン選択性特性を有することを特徴とする請求項１又は２記載の反応膜。
【請求項４】  触媒が層厚さ１０Å〜１ｍｍで膜に施されていることを特徴とする請求項１から３までのいずれか１項記載の反応膜。
【請求項５】  膜と酸化触媒との間に厚さ１０Å〜１０μｍを有する酸化物中間層が施されていることを特徴とする請求項１から４までのいずれか１項記載の反応膜。
【請求項６】  請求項１から５までのいずれか１項記載の反応膜を用いて実施する、酸素の存在下での炭化水素の酸化反応方法。
【請求項７】  酸化を２００〜１２００℃、有利には２００〜６００℃、最も有利には３００〜５００℃の温度で実施することを特徴とする請求項６記載の反応方法。
【請求項８】  酸化がアンモ酸化、線状Ｃ４炭化水素、有利にはｎ−ブタン又はｎ−キシレンからの無水マレイン酸又は無水フタル酸の合成、相応する炭化水素からの（メタ）アクロレイン又は（メタ）アクリル酸の合成又はアルカンの相応するアルケンへの酸化脱水素もしくはアルコールの相応するアルデヒドへの酸化脱水素であることを特徴とする請求項６又は７記載の反応方法。
【請求項９】  酸素を空気又は酸素割合を変化した空気の形で、別の蒸発可能な流体成分の存在又は不在下で使用することを特徴とする請求項６から８までのいずれか１項記載の反応方法。
【請求項１０】  触媒が施された膜側の圧力が０．１〜１００バール、有利には０．６〜５０バール、最も有利には０．６〜３０バールであり、かつ触媒が存在しない膜側の圧力が０．１〜１００バール、有利には０．６〜５０バール、最も有利には０．６〜３０バールであることを特徴とする請求項６から９までのいずれか１項記載の反応方法。
【手続補正書】
【提出日】平成19年10月17日(2007.10.17)
【手続補正１】
【補正対象書類名】明細書
【補正対象項目名】特許請求の範囲
【補正方法】変更
【補正の内容】
【特許請求の範囲】
【請求項１】
リンパ球に存在する細胞外受容体に対して特異性を有するＩｇＭ抗体および医薬上許容される担体を含む、ウイルス介在疾患の進行を抑制するための医薬組成物。
【請求項２】
白血球に存在するケモカイン受容体に対して特異性を有するＩｇＭ抗リンパ球抗体および医薬上許容される担体を含む、自己免疫疾患または炎症を抑制するための医薬組成物。
【請求項３】
受容体がケモカイン受容体またはケモカイン受容体である、請求項１または２記載の組成物。
【請求項４】
同一のリンパ球表面受容体がまた、別の細胞表面に存在する、請求項１または２記載の組成物。
【請求項５】
リンパ球に存在する細胞外受容体に特異性を有するＩｇＭ抗体がヒトＩｇＭ抗体および動物ＩｇＭからなる群から選択される請求項１または２記載の組成物。
【請求項６】
疾患が、ＨＩＶ−１およびリンパ球および他の細胞表面に存在するリンパ球受容体を介してウイルスが細胞に侵入する他のウイルス性疾患からなる群から選択される請求項１記載の組成物。
【請求項７】
炎症疾患が、限定されるものではないが、関節リウマチ、全身性エリテマトーデス、サルコイドーシス、アテローム性血管疾患、脈管炎、同種移植の拒絶反応、糸球体腎炎、炎症性腸疾患または特発性肺炎から選択される、請求項２記載の組成物。
【請求項８】
ＩｇＭ抗体を個体に静脈内または筋肉内投与する請求項１記載の組成物。
【請求項９】
ＩｇＭ抗体特異性遺伝子を抗体産生細胞に導入し、in vitroでＩｇＭ抗リンパ球抗体を産生させることを特徴とするヒトウイルス介在疾患治療用のＩｇＭ抗体産生方法。
【請求項１０】
抗体産生細胞を感染ヒトまたは他の免疫欠損動物に導入し、抗体産生細胞にＩｇＭ抗リンパ球抗体を産生させることを特徴とする、請求項９記載の方法。
【請求項１１】
ＩｇＭ抗リンパ球抗体に対して特異的なヒトまたは動物抗体産生細胞を単離し、該抗体産生細胞によるin vitroでのＩｇＭ抗リンパ球抗体の産生を促進させることを特徴とするＩｇＭ抗リンパ球抗体の産生方法。
【請求項１２】
抗体産生細胞によるＩｇＭ抗リンパ球抗体の産生をハイブリドーマ技術または細胞培養技術を用いて促進させる請求項９または１１記載の方法。
【請求項１３】
抗体産生細胞によるＩｇＭ抗リンパ球抗体の産生をウイルス、細菌または抗原を用いて促進させる請求項９または１１記載の方法。
【請求項１４】
ヒトＩｇＭを生成することのできる動物からヒト抗体産生細胞を単離し、請求項１２または１３に示される抗体産生細胞によるin vitroでのＩｇＭ抗リンパ球抗体の産生を促進させることを特徴とするＩｇＭ抗リンパ球抗体の産生方法。
【請求項１５】
ＩｇＭ抗リンパ球を産生させることによる、ウイルス感染症またはケモカイン介在疾患を処置するための注射用組成物であって、１種または複数の活性または不活性なウイルス、不活性細菌、抗原またはマイトジェンと、医薬上許容される担体とを含む、医薬組成物。
【請求項１６】
リンパ球に存在する細胞外受容体を該受容体に特異性を有するＩｇＭ抗体検出用の抗原として使用することを特徴とする該ＩｇＭ抗体の検出および定量用の診断アッセイ法。
【請求項１７】
ＩｇＭ抗体の代わりに他のイソタイプの抗体を用いることができ、かかる抗体がリンパ球上にある細胞外受容体に対してＩｇＭ抗体と同じ結合特性を有するところの、請求項１または２記載の組成物。
【手続補正書】
【提出日】平成19年10月5日(2007.10.5)
【手続補正１】
【補正対象書類名】明細書
【補正対象項目名】特許請求の範囲
【補正方法】変更
【補正の内容】
【特許請求の範囲】
【請求項１】  下記特性を有する多結晶状メラミン粉体：
比表面積：０．７〜５ｍ２／ｇ
酸素含有成分の含有量＜０．７重量％
ＡＰＨＡカラー  １７未満
メラム：１．５重量％超。
【請求項２】  比表面積が０．９〜３ｍ２／ｇであることを特徴とする請求項１に従う多結晶状メラミン粉体。
【請求項３】  色が１５ＡＰＨＡ未満であることを特徴とする請求項１または２に従う多結晶状メラミン粉体。
【請求項４】  メラム濃度が２．０重量％より高いことを特徴とする請求項１〜３のいずれか１項に従う多結晶状メラミン粉体。
【請求項５】  メラム濃度が２．５重量％より高いことを特徴とする請求項１〜４のいずれか１項に従う多結晶状メラミン粉体。
【請求項６】  酸素含有成分の含有量が０．４重量％未満であることを特徴とする請求項５に従う多結晶状メラミン粉体。
【請求項７】  ＡＲＣ（アンメリン関連化合物）含有量が０．１５重量％未満であることを特徴とする請求項１〜６のいずれか１項に従う多結晶状メラミン粉体。
【請求項８】  メラム含有量が１．５重量％より高いところの多結晶状メラミンを使用して調製されたアミノ−ホルムアルデヒド樹脂。
【請求項９】  トップラミネート又は接着剤における、或いは成形用粉体としての、請求項８に従うアミノ−ホルムアルデヒド樹脂の使用。
【手続補正書】
【提出日】平成19年8月15日(2007.8.15)
【手続補正１】
【補正対象書類名】明細書
【補正対象項目名】特許請求の範囲
【補正方法】変更
【補正の内容】
【特許請求の範囲】
【請求項１】  チロシン・キナーゼEphA2を過剰発現する細胞の集団を含む哺乳動物の転移性腫瘍又は癌の治療用医薬組成物であって、治療していない転移性細胞に比較して、腫瘍の転移浸潤又は増殖を低減する、転移性細胞の転移を低減する、転移性細胞の増殖を妨げる、転移性細胞内のEphA2のリン酸化チロシンの量を増加する、並びに/或いは転移性細胞の侵襲性を低減する生物活性の少なくとも1つを有するEphA2アゴニスト、及び医薬として許容しうる担体を含む、上記組成物。
【請求項２】  チロシン・キナーゼEphA2を過剰発現する細胞の集団を含む哺乳動物の転移性腫瘍又は癌の治療用医薬組成物を製造するための、治療していない転移性細胞に比較して、腫瘍の転移浸潤又は増殖を低減する、転移性細胞の転移を低減する、転移性細胞の増殖を妨げる、転移性細胞内のEphA2のリン酸化チロシンの量を増加する、並びに/或いは転移性細胞の侵襲性を低減する生物活性の少なくとも1つを有するEphA2アゴニストの使用。
【請求項３】  EphA2アゴニストを含む、EphA2を過剰発現する細胞の集団を含む哺乳動物の転移性腫瘍又は癌の治療用医薬。
【請求項４】  EphA2を過剰発現する細胞の集団を含む哺乳動物の転移性腫瘍又は癌の治療用医薬を製造するためのEphA2アゴニストの使用。
【請求項５】  EphA2を過剰発現する細胞の集団を含む転移性又は潜在的転移性癌を有する患者の治療用医薬を製造するためのEphA2アゴニストの使用。
【請求項６】  EphA2アゴニストを含む、EphA2を過剰発現する細胞の集団を含む転移性又は潜在的転移性癌を有する患者の治療用医薬。
【請求項７】  EphA2アゴニストが抗体を含む、請求項1〜6のいずれか1項に記載の組成物、医薬又は使用。
【請求項８】  EphA2アゴニストがモノクローナル抗体を含む、請求項1〜7のいずれか1項に記載の組成物、医薬又は使用。
【請求項９】  EphA2アゴニストがEphA2の細胞外エピトープに対する特異性を有する抗体を含む、請求項1〜8のいずれか1項に記載の組成物、医薬又は使用。
【請求項１０】  EphA2アゴニストが転移性細胞に選択的に結合する抗体を含む、請求項1〜9のいずれか1項に記載の組成物、医薬又は使用。
【請求項１１】  EphA2アゴニストが細胞毒性物質に結合されている抗体を含む、請求項1〜10のいずれか1項に記載の組成物、医薬又は使用。
【請求項１２】  細胞毒性物質が、細菌毒、リシンA鎖、ダウノルビシン、メトトレキセート、リボソーム阻害剤、及び放射性同位元素からなる群から選ばれる、請求項11に記載の組成物、医薬又は使用。
【請求項１３】  細胞毒性物質がα−エミッタ、β−エミッタ及びオージェ電子エミッタからなる群から選ばれる放射性同位元素である、請求項12に記載の組成物、医薬又は使用。
【請求項１４】  EphA2アゴニストがEphA2のリン酸化に作用するエフリン（ephrin）を含む、請求項1〜6のいずれか1項に記載の組成物、医薬又は使用。
【請求項１５】  EphA2アゴニストがペプチドを含む、請求項1〜6のいずれか1項に記載の組成物、医薬又は使用。
【請求項１６】  EphA2アゴニストが、エフリンA1の細胞外ドメインを定義するペプチド配列を含む、請求項15に記載の組成物、医薬又は使用。
【請求項１７】  前記ペプチド配列が、免疫グロブリンの重鎖を定義する第2のペプチド配列に連結されている、請求項16に記載の組成物、医薬又は使用。
【請求項１８】  EphA2アゴニストがEphA2発現に作用するアンチセンスオリゴヌクレオチドを含む、請求項1〜6のいずれか1項に記載の組成物、医薬又は使用。
【請求項１９】  細胞の集団が、乳房、前立腺、肺、及び大腸癌腫瘍からなる群から選ばれる癌腫瘍の少なくとも一部を形成する、請求項1〜6のいずれか1項に記載の組成物、医薬又は使用。
【請求項２０】  細胞の集団が乳癌細胞、前立腺癌細胞、肺癌細胞及び大腸癌細胞からなる群から選ばれる細胞を含む、請求項1〜6のいずれか1項に記載の組成物、医薬又は使用。
【請求項２１】  EphA2を過剰発現する細胞が上皮細胞である、請求項1〜6のいずれか1項に記載の組成物、医薬又は使用。
【請求項２２】  細胞集団内の転移性細胞の存在をin vitroで検出する方法であって、a)ＥｐｈＡ２の細胞外エピトープに特異的なモノクローナル抗体を準備し、b)検出可能な標識を上記モノクローナル抗体に結合し、c）細胞サンプルを準備し、d）上記細胞サンプルを上記標識モノクローナル抗体とインキュベートし、e)結合していないモノクローナル抗体を上記細胞サンプルから除き、そしてf)上記標識の存在を検出する、ことを含む上記方法。
【請求項２３】  EphA2に特異的に結合する抗体であって、EphA2アゴニストである前記抗体。
【請求項２４】  モノクローナル抗体である請求項23に記載の抗体。
【請求項２５】  検出可能な標識と結合された請求項23又は24に記載の抗体。
【請求項２６】  ヒト化抗体である請求項23〜25のいずれか1項に記載の抗体。
【請求項２７】  EphA2の細胞外エピトープと特異的に結合する単離された抗体であって、EphA2アゴニストである前記抗体。
【請求項２８】  EphA2と特異的に結合する抗体及び細胞毒性物質を含む化合物であって、前記抗体がEphA2アゴニストである、前記化合物。
【請求項２９】  細胞毒性物質が、細菌毒、リシンA鎖、ダウノルビシン、メトトレキセート、リボソーム阻害剤及び放射性同位元素からなる群から選ばれる、請求項28に記載の化合物。
【請求項３０】  細胞毒性物質がα−エミッタ、β−エミッタ及びオージェ電子エミッタからなる群から選択される放射性同位元素である、請求項28又は29に記載の化合物。
【請求項３１】  転移性癌細胞内のEphA2に選択的なEphA2抗体を同定する方法であって、非癌細胞の細胞密度の関数としてのEphA2抗体の結合を、相似の転移性癌細胞の細胞密度の関数としてのEphA2抗体の結合に対して比較することを含み、ここで細胞密度の増加による非癌細胞への抗体結合の減少と、細胞密度の増加による転移性癌細胞への定常レベルの抗体結合とが一緒に観察されることが、転移性癌細胞内のEphA2に選択的なEphA2抗体を示す、前記方法。
【手続補正書】
【提出日】平成19年3月14日(2007.3.14)
【手続補正１】
【補正対象書類名】明細書
【補正対象項目名】特許請求の範囲
【補正方法】変更
【補正の内容】
【特許請求の範囲】
【請求項１】  哺乳動物被検体におけるアミロイド沈着に伴う障害の予防または治療用の製薬学的製剤であって、前記障害に特徴的なアミロイド成分に対する免疫応答を生じさせるのに有効な作用物質を有効成分として含んでなり、かつ、前記免疫応答が免疫グロブリン重鎖、アポＡＩ、トランスチレチン、リゾチーム、フィブローゲンα鎖、ゲルゾリン、β2ミクログロブリン、心房性ナトリウム利尿因子、ケラチン、島アミロイドポリペプチド、ペプチドホルモンおよびシヌクレイン、並びにこれらの突然変異体タンパク質、タンパク質フラグメントおよびペプチドより成る群から選択される前駆体タンパク質に由来する原線維成分に向けられる、ことを特徴とする製薬学的製剤。
【請求項２】  請求項１記載の製薬学的製剤であって、前記アミロイド成分が原線維ペプチドもしくはタンパク質である、製薬学的製剤。
【請求項３】  請求項１記載の製薬学的製剤であって、前記作用物質が、前記前駆体タンパク質に関して、前記アミロイド成分により形成される新エピトープに対し向けられる免疫応答を誘導する、製薬学的製剤。
【請求項４】  請求項１記載の製薬学的製剤であって、前記アミロイド成分が、ＡＨ、ＡＴＴＲ、ＡアポＡ１、Ａｌｙｓ、Ａｇｅｌ、ＡＢ2Ｍ、Ａｃａｌ、ＡＩＡＰＰおよびシヌクレイン−ＮＡＣフラグメントより成る群から選択される、製薬学的製剤。
【請求項５】  請求項４記載の製薬学的製剤であって、前記作用物質が、ＡＨ、ＡＴＴＲ、ＡアポＡ１、Ａｌｙｓ、Ａｇｅｌ、ＡＢ2Ｍ、Ａｃａｌ、ＡＩＡＰＰおよびシヌクレイン−ＮＡＣフラグメントより成る群から選択される、製薬学的製剤。
【請求項６】  請求項１記載の製薬学的製剤であって、前記作用物質が、最低２種の異なるアミロイド成分に対する免疫原性の応答を誘導するのに有効である、製薬学的製剤。
【請求項７】  請求項６記載の製薬学的製剤であって、最低２種のアミロイド成分を包含する、製薬学的製剤。
【請求項８】  請求項１記載の製薬学的製剤であって、前記作用物質が担体タンパク質に連結されたペプチドである、製薬学的製剤。
【請求項９】  アジュバントをさらに包含する、請求項１〜８のいずれかに記載の製薬学的製剤。
【請求項１０】  請求項９記載の製薬学的製剤であって、前記アジュバントが、ＱＳ２１、モノホスホリル脂質、明礬およびフロイントのアジュバントより成る群から選択される、製薬学的製剤。
【請求項１１】  請求項１記載の製薬学的製剤であって、前記免疫応答が、前記アミロイド成分に関して、最低１：１０００の血清力価を特徴とする、製薬学的製剤。
【請求項１２】  請求項１１記載の製薬学的製剤であって、前記血清力価が、前記原線維成分に関して、最低１：５０００である、製薬学的製剤。
【請求項１３】  請求項１記載の製薬学的製剤であって、前記免疫応答が、処理前の対照の血清サンプル中で測定された免疫反応性の血清レベルより約４倍より高いより大きいものに相当する免疫反応性の血清量を特徴とする、製薬学的製剤。
【請求項１４】  請求項１３記載の製薬学的製剤であって、前記免疫反応性の血清量が約１００倍の血清希釈物で測定されたものである、製薬学的製剤。
【請求項１５】  アミロイド障害のための治療を受けている患者の予後の決定用診断キットであって、選択されたアミロイド成分に対する免疫反応性の患者の血清量を測定するための手段を含んで成り、かつ、基準線対照レベルの血清の免疫反応性の最低４倍の免疫反応性の患者の血清量が、アミロイド障害に関して改善された状態の予後を示すものとする、診断キット。
【請求項１６】  請求項１５記載の診断キットであって、前記選択されたアミロイド成分に対する前記免疫反応性の患者の血清量が、最低約１：１０００の血清力価を特徴とする、診断キット。
【請求項１７】  請求項１６記載の診断キットであって、前記選択されたアミロイド成分に対する前記免疫反応性の患者の血清量が、最低１：５０００の血清力価を特徴とする、診断キット。
【請求項１８】  患者におけるアミロイド沈着物を特徴とする疾患の予防もしくは治療用製薬学的製剤であって、前記沈着物中に存在するアミロイド成分に特異的に結合する抗体を有効成分として含んで成り、かつ、前記アミロイド成分が、免疫グロブリン重鎖、アポＡＩ、トランスチレチン、リゾチーム、フィブローゲンα鎖、ゲルゾリン、β2ミクログロブリン、心房性ナトリウム利尿因子、ケラチン、島アミロイドポリペプチド、ペプチドホルモンおよびシヌクレイン、並びにこれらの突然変異体タンパク質、タンパク質フラグメントおよびペプチドより成る群から選択される前駆体タンパク質に由来する、ことを特徴とする製薬学的製剤。
【請求項１９】  請求項１８記載の製薬学的製剤であって、前記アミロイド成分が原線維成分である、製薬学的製剤。
【請求項２０】  請求項１９記載の製薬学的製剤であって、前記抗体が、前記原線維成分のエピトープに結合するものである、製薬学的製剤。
【請求項２１】  請求項２０記載の製薬学的製剤であって、抗体が、前記原線維成分の前駆体に結合することなく前記原線維成分に特異的に結合するものである、製薬学的製剤。
【請求項２２】  請求項２０記載の製薬学的製剤であって、抗体が、原線維成分のエピトープで免疫感作されたヒト由来のＢ細胞から調製された前記原線維成分に対するヒト抗体である、製薬学的製剤。
【請求項２３】  請求項１９記載の製薬学的製剤であって、前記アミロイド原線維成分が、ＡＨ、ＡＴＴＲ、ＡアポＡ１、Ａｌｙｓ、Ａｇｅｌ、ＡＢ2Ｍ、Ａｃａｌ、ＡＩＡＰＰおよびシヌクレイン−ＮＡＣフラグメントより成る群から選択される、製薬学的製剤。
【請求項２４】  請求項１８記載の製薬学的製剤であって、最低２種のアミロイド原線維成分に結合する抗体を包含する、製薬学的製剤。
【請求項２５】  請求項１８記載の製薬学的製剤であって、前記有効成分の投薬量が、処理前の対照の血清サンプル中で測定された前記アミロイド成分に対する免疫反応性の血清レベルより最低約４倍より高い、前記成分に対する免疫反応性の患者血清中のレベルを生じさせるのに有効な抗体の量を特徴とする、製薬学的製剤。
【請求項２６】  請求項１８記載の製薬学的製剤であって、担体を含有する、製薬学的製剤。
【請求項２７】  請求項１８記載の製薬学的製剤であって、腹腔内、経口、皮下、筋肉内、鼻内、局所、もしくは静脈内投与用に処方されている、製薬学的製剤。
【請求項２８】  請求項１８記載の製薬学的製剤であって、持続性放出組成物として処方されている、製薬学的製剤。
【手続補正書】
【提出日】平成19年7月27日(2007.7.27)
【手続補正１】
【補正対象書類名】明細書
【補正対象項目名】００３９
【補正方法】変更
【補正の内容】
【００３９】
図１９に示されたパケット1の場合、丸み付け角縁部31aを生成すべく設計された形式の中央事前折目形成領域38を呈するという点において(不図示の)関連素材は図７の素材37と異なる一方、残りの２個の側部事前折目形成領域38は各々、図７に示された素材37と同様に第1選択距離だけ離間して設定されることで上述の鈍化角縁部26aを生成する相互に平行な一対の折目線55から成る。
【手続補正２】
【補正対象書類名】明細書
【補正対象項目名】００５９
【補正方法】変更
【補正の内容】
【００５９】
図２４の実施例においてパック100は大箱104として出現し、その外側形状は図４に示されたパケット1の外側形状と同一であると共に、特に図４のパケットを夫々が８個含む２つの群105および106であって大箱104の長手軸心Bと整列して上下に重ねられた２つの群105および106を収容すべく設計される。
【手続補正３】
【補正対象書類名】図面
【補正対象項目名】図５
【補正方法】変更
【補正の内容】
【図５】
2003516913.tif 000001
【手続補正４】
【補正対象書類名】図面
【補正対象項目名】図２２
【補正方法】変更
【補正の内容】
【図２２】
2003516913.tif 000002
【手続補正書】
【提出日】平成19年9月13日(2007.9.13)
【手続補正１】
【補正対象書類名】明細書
【補正対象項目名】特許請求の範囲
【補正方法】変更
【補正の内容】
【特許請求の範囲】
【請求項１】  （ａ）ベニコウジカビ（Ｍｏｎａｓｃｕｓ）からの有機溶媒エキス０．００１〜２０重量％、
（ｂ）パルミチン酸アスコルビル、リン酸アスコルビルナトリウム、レチノール、レチニルエステル、およびそれらの混合物からなる群から選択される共作用化合物、および
（ｃ）化粧品として許容される賦形剤
を含有する整肌化粧料組成物。
【請求項２】  請求項１に記載の組成物を皮膚に適用することによる、脂腺細胞からの皮脂分泌を減少、予防、または調節する美容方法。
【請求項３】  請求項１に記載の組成物を皮膚に適用することによる、皮膚の線維芽細胞によるコラーゲン合成を刺激する美容方法。
【請求項４】  請求項１に記載の組成物を皮膚に適用することによって、しわ、小じわ、乾燥、がさつき、老化または光老化肌の外観を改善し、また皮膚の厚さ、弾力性、柔軟性およびふっくら感を向上させる美容方法。
【請求項５】  化粧品として許容される賦形剤中のベニコウジカビからの有機溶媒エキスを含む化粧料組成物を皮膚に適用することによる、皮膚にフィトエストロゲンを送達する美容方法。
【請求項６】  脂性肌を調節する方法であって、化粧品として許容される賦形剤中のベニコウジカビからの有機溶媒エキスを含む化粧料組成物を皮膚に適用することを含む方法。
【請求項７】  化粧品として許容される賦形剤中のベニコウジカビからの有機溶媒エキスを含む化粧料組成物を皮膚に適用することによる、皮膚の線維芽細胞によるコラーゲン合成を刺激する美容方法。
【請求項８】  化粧品として許容される賦形剤中のベニコウジカビからの有機溶媒エキスを含む化粧料組成物を皮膚に適用することによる、しわ、小じわ、乾燥、がさつき、老化または光老化肌の外観を改善し、また皮膚の厚さ、弾力性、柔軟性およびふっくら感を向上させる美容方法。
【誤訳訂正書】
【提出日】平成19年7月2日(2007.7.2)
【誤訳訂正１】
【訂正対象書類名】明細書
【訂正対象項目名】請求項２６
【訂正方法】変更
【訂正の内容】
【請求項２６】  該組成物が、癲癇および脳卒中よりなる群から選択される中枢神経系障害を受けた哺乳動物に投与される、請求項２１に記載の医薬組成物。
【誤訳訂正２】
【訂正対象書類名】明細書
【訂正対象項目名】請求項３９
【訂正方法】変更
【訂正の内容】
【請求項３９】  該薬剤が、癲癇および脳卒中よりなる群から選択される中枢神経系障害を受けた哺乳動物への投与に適する、請求項３５に記載の使用。
【手続補正書】
【提出日】平成19年8月29日(2007.8.29)
【手続補正１】
【補正対象書類名】明細書
【補正対象項目名】特許請求の範囲
【補正方法】変更
【補正の内容】
【特許請求の範囲】
【請求項１】少なくとも一つの蜂蜜と少なくとも一つのゲル化化合物との組み合わせを含み、組成物中のゲル化化合物の量が、得られた組成物を該組成物を適用する創傷に適合するように成形可能な成形性および可撓性の少なくとも一方を有する固体にするような量であり、組成物の少なくとも５０重量％が前記少なくとも一つの蜂蜜である、創傷を手当するための成形性および可撓性の少なくとも一方を有する医薬組成物。
【請求項２】前記少なくとも一つのゲル化化合物がアルギン酸塩を主成分とする材料である請求項１に記載の組成物。
【請求項３】前記少なくとも一つのゲル化化合物が天然成分を主成分とするゲル化化合物である請求項１に記載の組成物。
【請求項４】連続ゲルの形をしたゲル化化合物を含む請求項１に記載の組成物。
【請求項５】粒状ゲルの形をしたゲル化化合物を使用する請求項１に記載の組成物。
【請求項６】組成物が少なくとも体温の高さの温度で実質的に非流動性である請求項１に記載の組成物。
【請求項７】組成物が４５℃において実質的に非流動性である請求項６に記載の組成物。
【請求項８】組成物が創傷から滲出液を除去するのに適した吸水化合物、捕捉化合物、または除去化合物を含み、前記滲出液除去化合物の量および性質は、そのような吸水化合物、捕捉化合物、または除去化合物を含まない同様な組成物と比較すると、創傷への適用後の長期間後、組成物が実質的に非流動性のまま維持される量および性質である請求項１に記載の組成物。
【請求項９】前記創傷が治癒するのに必要な時間以上の時間をかけて体液を吸収する性質を有する請求項１に記載の組成物。
【請求項１０】内部使用に適している請求項９に記載の組成物。
【請求項１１】組成物の粘性が、創腔を満たす押出物として適した粘性である請求項１に記載の組成物。
【請求項１２】可塑性固体の形をした医薬組成物である請求項１に記載の組成物。
【請求項１３】成形し易いシートの形をした請求項１に記載の組成物。
【請求項１４】複数のゲル化化合物の組み合わせを含む請求項１３に記載の組成物。
【請求項１５】連続ゲルを形成する少なくとも１つのゲル化化合物と、粒状ゲルを形成する少なくとも１つのゲル化化合物とを含む請求項１３に記載の組成物。
【請求項１６】顔料および硫黄の少なくとも１つをさらに含む請求項１に記載の組成物。
【請求項１７】顔料を含み、顔料が肉色である請求項１６に記載の組成物。
【請求項１８】前記少なくとも一つの蜂蜜が、抗菌特性または静菌特性を有する請求項１に記載の組成物。
【請求項１９】前記少なくとも一つの蜂蜜が、非過酸化物の抗菌成分または静菌成分を含む請求項１８に記載の組成物。
【請求項２０】照射によってクロストリディウム属細菌の胞子に関して殺菌された請求項１に記載の組成物。
【請求項２１】請求項１に記載の組成物を含む創傷ドレッシング。
【請求項２２】補強材をさらに含む請求項２１に記載の創傷ドレッシング。
【請求項２３】補強材が、ガーゼ、メッシュ、ランダムな繊維およびウーブン織物から成る群より選択される請求項２２に記載の創傷ドレッシング。
【請求項２４】補強材が医薬組成物に埋め込まれている請求項２２に記載の創傷ドレッシング。
【請求項２５】裏当てシートに適用される請求項２２に記載の創傷ドレッシングから成る改良型創傷ドレッシング。
【請求項２６】前記裏当てシートが少なくとも一つの適当な材料から成る層である請求項２５に記載の改良型創傷ドレッシング。
【請求項２７】裏当て材が、改良型創傷ドレッシングの創傷のない皮膚または他の適用表面への適用または接着を可能にする創傷ドレッシングと同延の広がりを持つ領域以外に粘着性領域を有する請求項２５に記載の改良型創傷ドレッシング。
【請求項２８】創傷パッチが存在し、組成物を含む裏当てシートを有する請求項２５に記載の改良型創傷ドレッシング。
【請求項２９】前記創傷パッチは、前記裏当てシートのより大きな領域内に分散された医薬組成物から成る多くのより小さな局在領域を有する、請求項２８に記載の改良型創傷ドレッシング。
【請求項３０】請求項２５に記載の創傷ドレッシングをにきびに適用することを含むにきびの治療方法。
【請求項３１】請求項２５に記載の創傷ドレッシングを膿疱に適用することを含む膿疱の治療方法。
【請求項３２】請求項２５に記載の創傷ドレッシングを火傷に適用することを含む火傷の治療方法。
【請求項３３】請求項２５に記載の創傷ドレッシングを皮膚移植片に適用することを含む皮膚移植片の回復の治療方法。
【請求項３４】請求項２５に記載の創傷ドレッシングを潰瘍に適用することを含む潰瘍の治療方法。
【請求項３５】請求項２５に記載の創傷ドレッシングを口内創傷に適用することを含む口内創傷の治療方法。
【請求項３６】請求項２５に記載の創傷ドレッシングを創傷に適用することを含む創傷の治療方法。
【請求項３７】前記創傷が滲出性創傷である請求項３５に記載の創傷の治療方法。
【請求項３８】請求項２１に記載の創傷ドレッシングをにきびに適用することを含むにきびの治療方法。
【請求項３９】請求項２１に記載の創傷ドレッシングを膿疱に適用することを含む膿疱の治療方法。
【請求項４０】請求項２１に記載の創傷ドレッシングを火傷に適用することを含む火傷の治療方法。
【請求項４１】請求項２１に記載の創傷ドレッシングを皮膚移植片に適用することを
含む皮膚移植片の回復の治療方法。
【請求項４２】請求項２１に記載の創傷ドレッシングを潰瘍に適用することを含む潰瘍の治療方法。
【請求項４３】請求項２１に記載の創傷ドレッシングを口内創傷に適用することを含む口内創傷の治療方法。
【請求項４４】請求項２１に記載の創傷ドレッシングを創傷に適用することを含む創傷の治療方法。
【請求項４５】前記創傷が滲出性創傷である請求項４４に記載の創傷の治療方法。
【請求項４６】請求項１に記載の組成物を膿疱に適用することを含む膿疱の治療方法。
【請求項４７】請求項１に記載の組成物を創傷に適用することを含む創傷の治療方法。
【請求項４８】請求項１に記載の組成物を潰瘍に適用することを含む潰瘍の治療方法。
【請求項４９】請求項１に記載の組成物を火傷に適用することを含む火傷の治療方法。
【請求項５０】請求項１に記載の組成物を皮膚移植片に適用することを含む皮膚移植片のカバー方法。
【請求項５１】請求項１に記載の組成物をにきびに適用することを含むにきびの治療方法。
【請求項５２】請求項１に記載の組成物を滲出性創傷に適用することを含む滲出性創傷の治療方法。
【請求項５３】請求項１に記載の組成物を口内創傷に適用することをを含む口内創傷の治療方法。
【手続補正書】
【提出日】平成19年6月12日(2007.6.12)
【手続補正１】
【補正対象書類名】明細書
【補正対象項目名】特許請求の範囲
【補正方法】変更
【補正の内容】
【特許請求の範囲】
【請求項１】    生物学的試料に存在する鳥型結核菌（Ｍｙｃｏｂａｃｔｅｒｉｕｍ  ａｖｉｕｍ）複合体（ＭＡＣ）種を検出する方法であって：
ヒト型結核菌（Ｍ．  ｔｕｂｅｒｃｕｌｏｓｉｓ）、鳥型結核菌、Ｍ・イントラセルラレ（Ｍ．  ｉｎｔｒａｃｅｌｌｕｌａｒｅ）、およびパラ結核菌（Ｍ．  ｐａｒａｔｕｂｅｒｃｕｌｏｓｉｓ）からなる群より選択される少なくとも１つのＭＡＣ種由来の核酸中の１６Ｓ  ｒＲＮＡまたは１６Ｓ  ｒＲＮＡをコードするＤＮＡを、少なくとも１つのポリメラーゼ活性、並びに配列番号１から配列番号６からなる群より選択される配列を有する少なくとも１つの第一のプライマー、並びに配列番号７、配列番号８および配列番号９からなる群より選択される配列を有する少なくとも１つの第二のプライマーを含む、ｉｎ  ｖｉｔｒｏ核酸増幅混合物を用いて増幅して、増幅された核酸を産生し；そして
前記増幅された核酸を検出する；
工程を含む、前記方法。
【請求項２】    検出工程が、少なくとも１つのプローブに、増幅された核酸をハイブリダイズさせ、そしてプローブにハイブリダイズしている増幅された核酸から生じるシグナルを検出することをさらに含む、請求項１の方法。
【請求項３】    検出工程が、増幅された核酸の一部に相補的な配列を含む、少なくとも１つの標識化プローブを用いる、請求項１又は２の方法。
【請求項４】    ＭＡＣ種由来の核酸を固定化核酸に結合させ、増幅工程前に、試料中の他の構成要素からＭＡＣ種由来の核酸を精製するため、少なくとも１つのＭＡＣ種由来の核酸に特異的にハイブリダイズする、少なくとも１つの捕捉オリゴヌクレオチドを用いる工程をさらに含む、請求項１〜３いずれか１項記載の方法。
【請求項５】    増幅工程が、配列番号１から配列番号３からなる群より選択される配列を有する少なくとも１つの第一のプライマー、並びに配列番号７、配列番号８および配列番号９からなる群より選択される配列を有する少なくとも１つの第二のプライマーの組み合わせを用いる、請求項１〜４いずれか１項記載の方法。
【請求項６】    増幅工程が転写仲介増幅を用いる、請求項１〜５いずれか１項記載の方法。
【請求項７】    少なくとも１つの鳥型結核菌複合体（ＭＡＣ）種由来の１６Ｓ  ｒＲＮＡ配列または１６Ｓ  ｒＲＮＡをコードするＤＮＡを請求項１の方法で増幅するための組成物であって、１６Ｓ  ｒＲＮＡ配列または１６Ｓ  ｒＲＮＡをコードするＤＮＡを増幅するための少なくとも２つのオリゴヌクレオチドを含み、ここで、少なくとも１つの第１のプライマーは配列番号１から配列番号６からなる群より選択され、並びに少なくとも１つの第２のプライマーは配列番号７、配列番号８および配列番号９からなる群より選択される、前記組成物。
【請求項８】    配列番号１１から配列番号１８からなる群より選択される１以上のオリゴヌクレオチドを含む、増幅されたＭＡＣの１６Ｓ  ｒＲＮＡ配列または１６Ｓ  ｒＲＮＡをコードするＤＮＡを検出するための少なくとも１つのオリゴヌクレオチドをさらに含む、請求項７の組成物。
【請求項９】    配列番号１から配列番号６からなる群より選択される少なくとも１つの第一のオリゴヌクレオチド、並びに配列番号７、配列番号８および配列番号９からなる群より選択される少なくとも１つの第二のオリゴヌクレオチドを含む、少なくとも２つのオリゴヌクレオチドを含む、キット。
【請求項１０】    配列番号１１から配列番号１８からなる群より選択される１以上のオリゴヌクレオチドをさらに含む、請求項９のキット。